(57)【要約】    【課題】  自然の泉の情景を演出することができる人工泉装置を提供することである。    【解決手段】  ほぼ下半分に砂利が充填され、上半分に水が充填された湧水池（１２）と、湧水池内に配置された１又は複数の湧水口ユニット（１４）とを備え、湧水口ユニットが、給水管から水が供給される本体（１６）と、本体の上部に配置されたノズル（１８）と、ノズルを包囲するように、本体のノズルが配置されている個所に設けられた逆円錐台形状又は逆ｎ角錐台形状（ｎ≧６）の湧水コーン（２０）とを有し、湧水コーンの上端が砂利の層の上面の僅かに下方に位置決めされており、ノズルから上方に向かって水を噴出させ、湧水コーン内に堆積した砂利を水と一緒に吹き上げ、吹き上げられた砂利の大半が落下して湧水コーン内に再び収容されるように構成されていることを特徴とする。【選択図】  図１
2005329542.tif 000002
【特許請求の範囲】
【請求項１】
人工泉装置であって、
ほぼ下半分に砂利が充填され、上半分に水が充填された湧水池と、
前記湧水池内に配置された１又は複数の湧水口ユニットとを備え、
前記湧水口ユニットが、給水管から水が供給される本体と、前記本体の上部に配置されたノズルと、前記ノズルを包囲するように、前記本体の前記ノズルが配置されている個所に設けられた逆円錐台形状又は逆ｎ角錐台形状（ｎ≧６）の湧水コーンとを有し、前記湧水コーンの上端が前記砂利の層の上面の僅かに下方に位置決めされており、
前記ノズルから上方に向かって水を噴出させ、前記湧水コーン内に堆積した砂利を水と一緒に吹き上げ、吹き上げられた砂利の大半が落下して前記湧水コーン内に再び収容されるように構成されていることを特徴とする装置。
【請求項２】
前記砂利の粒径が５ｍｍ〜７ｍｍであることを特徴とする請求項１に記載の装置。
【請求項３】
前記ノズルからの水の噴出速度が１．５ｍ／ｓｅｃ以上であることを特徴とする請求項１又は２に記載の装置。
【発明の詳細な説明】
【技術分野】
【０００１】
本発明は一般に、人工泉装置に関する。より詳細には、本発明は、自然の泉の情景を演出することができる人工泉装置に関する。
【背景技術】
【０００２】
自然の泉を模した人工的な施設を作り、人々の鑑賞に供する人工泉装置が知られている。従来の人工泉装置としては、水を飛散させるのではなく、ビーズを飛散させることによって湧水・湧泉を人工的に再現する設備が知られている。また、遮水層と、湧水部材を有する通水層と、通水層を被う保護層と、放出口とを備えた人工湿地が提案されている（特許文献１参照）。
【０００３】
【特許文献１】特開２００３−２３８８４号公報
【発明の開示】
【発明が解決しようとする課題】
【０００４】
しかしながら、ビーズを飛散させることによって人工泉を再現させる装置では、自然の泉の情景を演出するには、程遠かった。また、上述の人工湿地に関する提案は、あくまでも自然に近い湿地を形成するためのものであって、人工泉に直接関連するものではなかった。
【０００５】
したがって、本発明は、自然の泉の情景を演出することができる人工泉装置を提供することを目的とする。
【課題を解決するための手段】
【０００６】
本願請求項１に記載の人工泉装置は、ほぼ下半分に砂利が充填され、上半分に水が充填された湧水池と、前記湧水池内に配置された１又は複数の湧水口ユニットとを備え、前記湧水口ユニットが、給水管から水が供給される本体と、前記本体の上部に配置されたノズルと、前記ノズルを包囲するように、前記本体の前記ノズルが配置されている個所に設けられた逆円錐台形状又は逆ｎ角錐台形状（ｎ≧６）の湧水コーンとを有し、前記湧水コーンの上端が前記砂利の層の上面の僅かに下方に位置決めされており、前記ノズルから上方に向かって水を噴出させ、前記湧水コーン内に堆積した砂利を水と一緒に吹き上げ、吹き上げられた砂利の大半が落下して前記湧水コーン内に再び収容されるように構成されていることを特徴とするものである。
【０００７】
本願請求項２に記載の人工泉装置は、前記請求項１の装置において、前記砂利の粒径が５ｍｍ〜７であることを特徴とするものである。
【０００８】
本願請求項３に記載の人工泉装置は、前記請求項１又は２の装置において、前記ノズルからの水の噴出速度が１．５ｍ／ｓｅｃ以上であることを特徴とするものである。
【発明の効果】
【０００９】
本発明の人工泉装置は、湧水コーン２０内に堆積した砂利を水と一緒に吹き上げ、吹き上げられた砂利の大半が落下して湧水コーン２０内に再び収容されるように構成されており、自然の泉の情景を効果的に演出することを可能にした。
【発明を実施するための最良の形態】
【００１０】
次に、図面を参照して、本発明の好ましい実施の形態に係る人工泉装置について詳細に説明する。図１は、本発明の好ましい実施の形態に係る人工泉装置を模式的に示した全体図である。図１において全体として参照符号１０で示される本発明の好ましい実施の形態に係る人工泉装置は、湧水池すなわち湧水容器１２を備えている。湧水池１２内のほぼ下半分には、砂利（好ましくは、粒径が約５ｍｍ〜約７ｍｍのもの）が充填されており、さらに、湧水池１２内には、水が充填されている。
【００１１】
人工泉装置１０は又、湧水池１２内に配置された１又は複数の湧水口ユニット１４を備えている。湧水口ユニット１４は、給水管から水が供給される本体１６と、本体１６の上部に配置され、本体から水を噴出させるためのノズル１８とを有している。
【００１２】
湧水口ユニット１４の本体１６のノズル１８が配置されている個所には、ノズル１８を包囲するように湧水コーン２０が設けられている。湧水コーン２０は、円錐台を逆さまにした逆円錐台形状を有している。
【００１３】
なお、湧水口ユニット１４は、例えば図２に示されるように、湧水コーン２０の上端が砂利の層の上面の僅かに下方に位置するように、配置されている。好ましくは、ノズル１８の先端には、ノズル１８内に砂利が侵入しないように、メッシュ２２が取り付けられている。
【００１４】
湧水池１２からオーバーフローした水を一時的に受け入れるための容器２４が、湧水池１２に隣接して配置されている。容器２４は、管路を介して、オーバーフロー水を貯留するためのオーバーフロータンクに連通しており、オーバーフロータンクから延びた給水管が、湧水口ユニット１４の各々と連通している。なお、給水管には、水を循環させるためのポンプ、及び水中に混入した微粒砂等を除去するための濾過槽が介在されている。また、給水管には、全体の循環水量を調整するための全体水量調整バルブ２６が設置されており、バルブ２６と各湧水口ユニット１４との間には、各湧水口ユニット１４に供給される水量を調整するための個別水量調整バルブ２８がそれぞれ設けられている。
【００１５】
以上のように構成された人工泉装置１０の作動について説明する。給水管を介して湧水口ユニット１４の本体１６に水を供給すると、ノズル１８から水が上方に向かって噴出する。その際、個別水量調整バルブ２８を全開にした状態で全体水量調整バルブ２６を調整して、想定水量よりも多目の水量になるようにし、次いで、個別水量調整バルブ２８を調整して、各ノズル１８の吐出量がほぼ平均化されるようにする。なお、ノズル１８からの噴出速度は、約１．５ｍ／ｓｅｃ以上になるようにするのが好ましい。すると、湧水コーン２０内に堆積した砂利が、図４に示されるように、水と一緒に吹き上げられるが、吹き上げられた砂利の大半は落下して、湧水コーン２０内に再び収容される。砂利の動きを模式的に示した図５（ａ）（図５（ａ）において、実線矢印は流線を示し、白丸は砂利の移動状態を示す）を参照してより詳細に説明すると、約１．５ｍ／ｓｅｃ以上の噴出速度で吹き上げられた砂利は、水中内での圧力差により湧水コーン２０内に誘引されるとともに、落下する砂利を捕捉し易いように湧水コーン２０自体が上方に向かって拡大した逆円錐台形状を有しているため、給水を停止した状態を示す図５（ｂ）に示されるように、砂利の大半が湧水コーン２０内に収容されることとなる。
【００１６】
なお、本発明者が実施した実験によると、ノズル１８からの水の噴出速度が遅すぎると、砂利が飛散して湧水コーン２０内に戻りにくくなることが分かった（図６（ａ）及び図６（ｂ）参照。図６（ａ）は、噴出速度が遅い場合における砂利の動きを模式的に示した図、図６（ｂ）は、給水を停止した状態を示した図である。）。したがって、水の噴出速度は、所定速度（好ましくは、約１．５ｍ／ｓｅｃ）以上にするのが好ましい。
【００１７】
本発明は、以上の発明の実施の形態に限定されることなく、特許請求の範囲に記載された発明の範囲内で、種々の変更が可能であり、それらも本発明の範囲内に包含されるものであることはいうまでもない。
【００１８】
例えば、前記実施の形態において湧水コーン２０は、逆円錐台形状を有しているが、ｎ角錐台（ｎ≧６）を逆さまにした逆ｎ角錐台形状の湧水コーン２０を使用してもよい。
【図面の簡単な説明】
【００１９】
【図１】本発明の好ましい実施の形態に係る人工泉装置を模式的に示した全体図である。
【図２】図１の部分２の拡大図である。
【図３】図３（ａ）は、図１の人工泉装置の湧水口ユニットの断面図、図３（ｂ）は、図３（ａ）の線３ｂ−３ｂに沿って見た図である。
【図４】湧水口ユニットに給水した状態を模式的に示した図である。
【図５】図５（ａ）は、噴出速度が速い場合における砂利の動きを模式的に示した図、図５（ｂ）は、給水を停止した状態を示した図である。
【図６】図６（ａ）は、噴出速度が遅い場合における砂利の動きを模式的に示した図、図６（ｂ）は、給水を停止した状態を示した図である。
【符号の説明】
【００２０】
１０  人工泉装置
１２  湧水池
１４  湧水口ユニット
１６  本体
１８  ノズル
２０  湧水コーン
２２  メッシュ
２４  オーバーフロー水を受け入れるための容器
【図１】
2005329542.tif 000003
【図２】
2005329542.tif 000004
【図３】
2005329542.tif 000005
【図４】
2005329542.tif 000006
【図５】
2005329542.tif 000007
【図６】
2005329542.tif 000008